(57)【要約】【課題】空調付クリーンブースにおいて、シートが破損したり、汚れが溜まりにくく、かつ、比較的気密性の高いシートの取付構造を提供する。【解決手段】フレーム２と、フレーム２に取り付けてブース空間を仕切る可撓性シート３と、シート３により仕切られたブース空間Ｓ内の雰囲気をコントロールする空調ユニットとを備えてなる空調付クリーンブースに関する。シート３の上端部３２を折り返して二重にすると共に、二重にした端縁３２を固着して水平方向に長い筒状のループ部を形成し、ループ部に、剛性のある長尺材３１を挿入し、シート３を挟み付けた状態となるように、挟持材４をフレームに固定することで、シート３を介してループ部の長尺材３１の下端に挟持材４が係合する。挟持材４は横断面が概ねコ字状で、挟持材４とフレーム２との間で形成された横断面が概ね方形の空間Ｓ内にループ部が収容されるように、ループ部を覆う。【選択図】　　　図１
2004116880.tif 000002
【特許請求の範囲】
【請求項１】
フレームと、前記フレームに取り付けてブース空間を仕切る可撓性シートと、前記シートにより仕切られた前記ブース空間内の雰囲気をコントロールする空調ユニットとを備えてなる空調付クリーンブースにおいて、
前記シートの上端部を折り返して二重にすると共に、当該二重にした端縁を固着して水平方向に長い筒状のループ部を形成し、
前記ループ部に、剛性のある長い長尺材を挿入し、
前記シートを挟み付けた状態となるように、水平方向に長い挟持材を前記フレームに固定することで、前記シートを介して前記ループ部の前記長尺材の下端に前記挟持材が係合し、
ここにおいて、前記挟持材は横断面が概ねコ字状で、前記挟持材と前記フレームとの間で形成された横断面が概ね方形の空間内に、前記ループ部が収容されるように、前記コ字状の挟持材で前記ループ部を覆っている空調付クリーンブース。
【請求項２】
請求項１において、
前記挟持材は当該挟持材を貫通するボルトによって前記フレームに締結されていると共に、前記横断面が概ね方形の空間内において前記各ボルトが前記シートのループ部よりも上方を挿通して、前記シートには前記ボルトの挿通孔が形成されていない空調付クリーンブース。
【発明の詳細な説明】
【０００１】
【発明の属する技術分野】
本発明は、空調付クリーンブースの特に可撓性シートの取付構造に関する。
【０００２】
【従来の技術】
近年、工場の室内において、一部の空間を他から仕切り、局所的に温度、湿度およびクリーン度を精密にコントロールすることがなされている。かかるクリーンブースの一例を図６（ａ），（ｂ）に示す（例えば、特許文献１）。
【０００３】
図６（ａ）において、クリーンブース１の上には、空調ユニット１０１，フィルタユニット１０２および室外ユニット１０３が載置されている。空調ユニット１０１はクリーンブース１内の空間の空気を循環させながら空調する。前記空調ユニット１０１は必要に応じて、温度、湿度およびクリーン度の１以上を精密にコントロールする。
【０００４】
前記ブース１は、４本の脚部２０と天井部２１とでフレーム２が形成されている。前記クリーンブース１の側面には、仕切り材として、カーテン状の可撓性シート２００が垂下されている。なお、シート２００は、たとえば帯電防止（静電気を帯びない）樹脂の柔軟なシートからなる。
【０００５】
【特許文献１】
特開２０００−１０４９６７号（第１頁、図１）
【０００６】
【発明が解決しようとする課題】
しかし、前記特許文献１等のシートの取付構造では、下記のように欠点があった。
（１）　シート２００に形成した開口部２０１をフック２０２に引っ掛けているので、シート２００に多数の孔を設ける必要がある。一方、シート２００，２００の分かれた箇所から作業員が出入りするので、シート２００が孔の部分から破れる原因となる。また、汚れの溜まる原因となる。
（２）　特に、フック２０２に帯板２０３を介してシート２００を引っ掛けているだけであるから、汚れた空気がシートの上端からブース内に侵入するおそれもある。
【０００７】
したがって、本発明の目的は、空調付クリーンブースにおいて、シートが破損したり、汚れが溜まりにくく、かつ、比較的気密性の高いシートの取付構造を提供することである。
【０００８】
【発明の実施の形態】
以下、本発明の一実施形態を図面にしたがって説明する。
図１および図２は可撓性シート３の取付構造を示す。
【０００９】
可撓性シート３の上端部には、ループ部３０が形成されている。前記ループ部３０は、可撓性シート３の上端部を折り返して二重にすると共に、当該二重にした端縁３２を熱と圧力で溶着して、水平方向に長い筒状に形成されている。前記ループ部３０には、たとえば金属の丸棒からなる長尺材３１が挿入される。
【００１０】
図３に示す脚部２０は、コーナ金具２２を介して天井の梁（フレームの一例）２３を支持する。前記脚部２０および梁２３は、たとえば角パイプからなる。前記梁２３の上には、図４の天板部（フレームの一例）２４が載置される。天板部２４は、複数枚のトレー型の天板材２５，２５同士を図示しないボルトで締結してなる。
【００１１】
図１に示すように、横断面がコ字状の挟持材４と前記梁２３には、両者を互いに締結するためボルト挿通孔４ａ，２３ａが穿設されている。前記ボルト挿通孔２３ａの内側には、つまり、前記梁２３の内面には、ナット４０が溶着されている。図２に示すように、前記挟持材４は梁２３にボルト４１によって締結されている。
【００１２】
前記梁２３と挟持材４との間で形成された方形の収納空間Ｓには、前記シート３のループ部３０が収容され、前記ループ部３０が挟持材４によって覆われている。前記シート３は、前記ループ部３０の下端近傍において、一重の部分が、前記梁２３と挟持材４との間で挟み付けられている。これにより、前記挟持材４は、前記シート３の二重の部分（ループ部３０）に係合していると共に、前記シート３を介して長尺材３１に係合している。
【００１３】
前記挟持材４は当該挟持材４を貫通するボルト４１によって前記梁２３に締結されていると共に、前記横断面が概ね方形の収納空間Ｓ内において前記各ボルト４１が前記シート３のループ部３０よりも上方を挿通して、前記シート３には前記ボルト４１の挿通孔が形成されていない。
その他の構成は、前記図６の従来技術と同様の構成を採用することができ、したがって、その説明および図示を省略する。
【００１４】
図５はフレームの変形例を示す。
図５において、天板部（フレームの一例）２４を形成する天板材２５には、前記挟持材４が締結される。このように、前記挟持材４が天板材２５に締結されると、前記挟持材４は天板材２５を補強する効果を奏する。そのため、大型のブースであっても，天板部２４の撓みが小さくなる。
【００１５】
以上のとおり、図面を参照しながら好適な実施形態を説明したが、当業者であれば、本明細書を見て、自明な範囲で種々の変更および修正を容易に想定するであろう。
たとえば、クリーンブースの上には空調ユニットなどを載置せずに、ダクトをブースの上部に連結してもよい。また、金属の棒材に代えて、金属や樹脂の帯板を長尺材として用いることもできる。また、シートの上端を金属板に巻き付けてループ部を形成してもよい。
したがって、そのような変更および修正は、請求の範囲から定まる本発明の範囲内のものと解釈される。
【００１６】
【発明の効果】
以上説明したように、本発明によれば、長い挟持材がフレームとの間でシートを挟み付けていると共に、長い挟持材がシートを介して長尺材に係合しているから、シートの全幅にわたって、前記挟持材による挟み付け力が均等に作用する。したがって、シートの上部からの空気の出入りを防止できる。
また、前記挟み付け力が均等が作用し、かつ、シートに取付用の孔を形成する必要がないから、シートが破れにくい。
しかも、断面コ字状の挟持材でシートのループ部や長尺材を覆っているから、シート上部に汚れが溜まるのを防止し得る。
【図面の簡単な説明】
【図１】本発明の空調付クリーンブースのシートの取付構造を示す分解斜視図である。
【図２】同横断面図である。
【図３】フレームの上部のコーナを示す分解斜視図である。
【図４】天板部の一部を示す斜視図である。
【図５】フレームの変形例を示す分解斜視図である。
【図６】（ａ）は従来の空調付クリーンブースを示す斜視図、（ｂ）は同シートを示す斜視図である。
【符号の説明】
１：クリーンブース
２：フレーム
３：シート
３０：ループ部
３１：長尺材
３２：端縁
４：挟持材
Ｓ：収納空間
【図１】
2004116880.tif 000003
【図２】
2004116880.tif 000004
【図３】
2004116880.tif 000005
【図４】
2004116880.tif 000006
【図５】
2004116880.tif 000007
【図６】
2004116880.tif 000008